(57)【要約】【課題】高度な除菌および消臭効果と健康増進効果を保有し、また浄水に悪影響を及ぼすことなく長期間の使用に耐えることができるとともに、衛生的且つ安価に製造可能な浄水器を提供する。【解決手段】一定量の浄水を貯留可能に形成された貯水容器２０と、その貯水容器２０に連通する循環パイプ３０と、その貯水容器２０と循環パイプ３０を所定の位置で固定状に保持するための介装部材４０とを、任意形状の本体容器１０の内部に備えるとともに、渦巻状に形成した循環パイプ３０を、貯水容器２０の上方位置または下方位置または側面位置に配置し、その貯水容器２０と循環パイプ３０の外周面に、シリカブラックによる表面加工を施した構成とする。【選択図】    図１
2005007375.tif 000002
【特許請求の範囲】
【請求項１】
一定量の浄水を貯留可能に形成された貯水容器と、その貯水容器に連通する循環パイプと、その貯水容器と循環パイプを所定の位置で固定状に保持するための介装部材とを、任意形状の本体容器内に備えて成る浄水器であって、前記した循環パイプを、貯水容器の上方位置または下方位置に配置するとともに、その貯水容器と循環パイプの外周面に、シリカブラックによる表面加工を施したことを特徴とする浄水器。
【請求項２】
上記した循環パイプが、渦巻状に形成されたことを特徴とする請求項１に記載の浄水器。
【請求項３】
上記した循環パイプが、貯水容器の外側面にコイル状に巻回して配置されたことを特徴とする請求項１に記載の浄水器。
【請求項４】
螺旋状に巻回して形成された循環パイプと、その循環パイプを固定状に保持するための介装部材とを、任意形状の本体容器内に備えて成る浄水器であって、前記した循環パイプの外周面に、シリカブラックによる表面加工を施したことを特徴とする浄水器。
【請求項５】
上記した介装部材は、断熱性およびクッション性を有する素材で形成され、且つシリカブラック加工が施されたことを特徴とする請求項１または請求項４に記載の浄水器。
【発明の詳細な説明】
【０００１】
【発明の属する技術分野】
本発明は、水道水等の飲料水を浄化するための浄水器に係るものであり、さらに詳しくは、シリカブラックが放射する遠赤外線を利用することにより、除菌効果や消臭効果と併せて、健康増進効果を発揮することができる浄水器に関するものである。
【０００２】
【従来の技術】
従来の浄水器としては、軽石と活性炭を混合使用した充填部と別途に配置した濾過部を併用し、有害物質等を除去して抗菌力を高め、処理水の再汚染を防止するように構成したものがある（例えば、特許文献１参照。）。また、浄水器の構成部材のうちの少なくとも１部材を無機系吸着材の配合材料で形成し、濾材通過後の浄水中で悪臭が発生するのを防止するようにしたものがある（例えば、特許文献２参照。）。さらには、ハーキマダイヤモンド、命根石、４００種類以上の薬草や鉱物を原材料とする特殊セラミック、麦飯石、医王石、シリカブラック、トルマリン、その他の多種類の宝石や濾過素材を混合使用し、健康の回復や増進に寄与したり、精神に良好な影響を及ぼすようにした浄活水器も提案されている（例えば、特許文献３参照。）。
【０００３】
【特許文献１】
特開平９−２３９３５７号公報（第３−４頁、図１）
【特許文献２】
特開２０００−３１７４４２号公報（第２−３頁、図１）
【特許文献３】
特開２０００−５１８７０号公報（第２−３頁、図２）
【０００４】
【発明が解決しようとする課題】
上記した特開平９−２３９３５７号公報の浄水器および特開２０００−３１７４４２号公報の浄水器は、抗菌力を高めたり悪臭発生の防止効果はあるが、飲用する人の健康増進に寄与することはできないという欠点があり、また上記した特開２０００−５１８７０号公報の浄活水器は、人の健康増進に寄与することは可能であるが、高価な多種類の素材を濾過材として使用するため、製品価格が非常に高額になるという重大な問題点があった。
【０００５】
さらにいずれの浄水器または浄活水器においても、水道水等が濾過材に接触しながら通過するようになっているので、長期間の使用後に、濾過材が劣化または変質して処理水に悪影響を及ぼす危険性があり、その対策として、一定期間経過後に濾過材を含む部品の取り替えを行わねばならない場合があった。
【０００６】
そこで本発明は、高度な除菌および消臭効果と健康増進効果を保有し、また浄水に悪影響を及ぼすことなく長期間の使用に耐えることができるとともに、衛生的且つ安価に製造可能な浄水器の提供を目的とするものである。
【０００７】
【課題を解決するための手段】
上記の目的を達成するため、請求項１に記載の本発明は、一定量の浄水を貯留可能に形成された貯水容器２０と、その貯水容器２０に連通する循環パイプ３０と、その貯水容器２０と循環パイプ３０を所定の位置で固定状に保持するための介装部材４０とを、任意形状の本体容器（以下、本体と略称する）１０の内部に備えて成る浄水器１であって、前記した循環パイプ３０を、貯水容器２０の上方位置または下方位置に配置するとともに、その貯水容器２０と循環パイプ３０の外周面に、シリカブラックによる表面加工を施した構成とするものである。
【０００８】
また請求項２に記載の本発明は、上記した循環パイプ３０が、渦巻状に形成された構成とするものである。
【０００９】
さらに請求項３に記載の本発明は、上記した循環パイプ３０が、貯水容器２０の外側面にコイル状に巻回して配置された構成とするものである。
【００１０】
さらにまた請求項４に記載の本発明は、螺旋状に巻回して形成された循環パイプと、その循環パイプを固定状に保持するための介装部材とを、任意形状の本体容器内に備えて成る浄水器であって、前記した循環パイプの外周面に、シリカブラックによる表面加工を施した構成とするものである。
【００１１】
なおまた請求項５に記載の本発明は、上記した介装部材４０が、断熱性およびクッション性を有する素材で形成され、且つシリカブラック加工が施された構成とするものである。
【００１２】
【発明の実施の形態】
以下に、本発明の第１実施形態を図１および図３に基づいて説明するが、本発明の浄水器１は、浄水器の外容器となる本体１０と、浄水器の内部で一定量の浄水を貯留可能に形成した貯水容器２０と、その貯水容器２０の上方や下方等に配置される循環パイプ３０と、本体１０と貯水容器２０および循環パイプ３０の間に介在する介装部材４０とを主たる構成材とするものである。
【００１３】
浄水器の本体１０は、プラスチックやステンレスなどの適宜な材料を用いて、円筒状や方形箱状等の任意な形状に形成されたもので、その上部の一隅には、後述する給水パイプ５０を用いた給水口５１が設けられ、またその側面下部の一隅には、後述する排水パイプ６０を用いた排水口６１が設けられている。なお図においては給水口５１の形状を簡略に表示しているが、この給水口５１の形状は、水道水等が導入可能な如何なる形状に形成してもよいことは勿論であり、また給水口５１や排水口６１の設定位置は、内部構造の設計変更に応じて適宜に変更されるものとする。
【００１４】
また貯水容器２０と循環パイプ３０を所定の位置で固定状に保持するために、本体１０の内側空隙部に配設される介装部材４０は、断熱性およびクッション性を有する素材に、シリカブラック加工を施して形成されるものである。なおこの介装部材４０にシリカブラック加工を施さない場合でも、本発明の構成を阻害するものではない。
【００１５】
ガラス、アルミニウム、陶器、ステンレス、プラスチック等を用いて形成された貯水容器２０は、本体１０よりもやや小型で、且つ本体１０とほぼ同形状に設けられたものである。該貯水容器２０は、一定量の浄水を貯留可能とした貯水部２１と、その貯水部２１に冠着する蓋部２２とにより構成され、さらにその貯水部２１の側面下部に、浄水器１の外方へ突出する排水パイプ６０が取り付けられている。またこの排水パイプ６０にはコック６２が付設されているので、浄水の使用量に応じて排水量を適宜に調節することが可能となっている。なお上記蓋部２２の中央部には図示しない挿通孔が形成されているので、後述する循環パイプ３０の連通部３２が、その挿通孔に差し込み可能となっている。
【００１６】
前記した貯水容器２０の上方に配置される循環パイプ３０は、ガラス、アルミニウム、プラスチック等の適宜な素材を用いて形成されるもので、その主体となる循環部３１が、図３（イは浄水器が円筒状の場合で、ロは浄水器が方形箱状の場合）に示すような渦巻状に形成されたものである。またこの循環パイプ３０の中心部には、パイプを垂直状に折り曲げた形状の連通部３２が設けられていて、その連通部３２を、前述した蓋部２２の挿通孔に挿通するようになっている。さらに渦巻状の循環部３１の最外端には、浄水器１の外方へ突出する給水パイプ５０が連結されているが、この給水パイプ５０は、循環パイプ３０の一部として一体状に形成するようにしてもよい。なお本発明で使用される循環パイプ３０の形状としては、図３に示すような同一平面の渦巻形状が最適であるが、限定された領域内で水をぐるぐると循環させることが可能であれば、例えば蛇行状に形成するというように、渦巻形状以外の形状を採用してもよい。
【００１７】
上述した貯水容器２０と循環パイプ３０における外周面、すなわち使用する水と直接的に接触（これを接液と称する）しない部分の全面には、図１の太線で示すように、シリカブラックの塗装による表面加工が施されている。このシリカブラックは遠赤外線を放射する公知の天然ミネラル鉱石であり、このようなシリカブラックの遠赤外線放射処理によって、水道水の除菌や消臭、ミネラル化、カルキ分や塩分の除去等を実現することができ、また特に４ミクロン〜１４ミクロンの波長の生育光線は、浄水を飲用する人の血液や細胞を活性化させて新陳代謝を促進させたり、発汗作用や痛みの緩和、糖尿病やガンなどのような病気に対する治癒能力の向上、精神の安定などに良好な影響を及ぼすことが知られている。
【００１８】
以上のような構造の本実施形態の浄水器を使用する場合は、まず水道水等を給水口５１から導入すると、給水パイプ５０を経て循環パイプ３０に至った水は、渦巻状の循環部３１をぐるぐる回りながら遠赤外線の放射処理をされた後に、連通部３２から貯水容器２０の内部に落下して貯水部２１で貯留される。またこの貯留状態においても、貯水容器２０および介装部材４０からの遠赤外線放射が継続的に行われているので、遠赤外線効果がさらに増強されるものである。なお排水パイプ６０のコック６２を開けば、所望する量の浄水を適宜に取り出すことが可能となっている。
【００１９】
次に、図２を参照しながら本発明の第２実施形態について説明する。この場合は、循環パイプ３０を貯水容器２０の下方に配置するように構成したもので、貯水部２１の底部に図示しない挿通孔を設け、その挿通孔に連通部３２を挿通して両者を連通させるとともに、循環部３１の最外端に排水パイプ６０を連結するような構造となっている。なお本実施形態においても、貯水容器２０と循環パイプ３０の接液しない外周面に、シリカブラック塗装が施されるものとする。
【００２０】
なお上記した第１実施形態および第２実施形態においては、循環パイプ３０を貯水容器２０の上方位置または下方位置に配置する例を示したが、この循環パイプ３０を２組用意して、貯水容器の上方と下方の両位置に配置することも可能である。
【００２１】
続いて、図示しない第３実施形態について説明するが、この場合は、前記した両実施形態の場合と同様なシリカブラック塗装を施した循環パイプ３０を、同じくシリカブラック塗装を施した貯水容器２０の外側面に、コイル状（または螺旋状）に巻回して配置する構造である。このように循環パイプ３０を貯水容器２０の外側面に配置することにより、貯留中の浄水に対して、さらに強力な遠赤外線放射を継続的に行うことができるようになっている。
【００２２】
また本発明においては、上記した第１実施形態および第２実施形態と第３実施形態を合体させた構造とすることも可能である。すなわち循環パイプ３０を貯水容器２０の上方位置や下方位置に配置するとともに、コイル状の循環パイプ３０を貯水容器２０の外側面にも配置させるのである。
【００２３】
さらに図示しない第４実施形態について説明する。この実施形態は、浄水器の本体１０の内部に貯水容器２０を設けない構造とするもので、本体１０の内部には、螺旋状に巻回して形成された循環パイプ３０が、介装部材４０を介して単独で配置されているものである。なお上記した各実施形態で使用するパイプは、図示のような断面角型のパイプではなく、断面丸型や楕円型等のものを使用するようにしてもよいことは勿論である。
【００２４】
【発明の効果】
本発明の浄水器は、シリカブラックから放射される遠赤外線の放射処理によって、水道水の除菌や消臭、ミネラル化、カルキ分や塩分の除去等を実現することができるとともに、血液や細胞を活性化させて新陳代謝を促進したり、病気に対する治癒能力を向上させるなど、浄水を飲用する人の健康回復および健康増進に大きく貢献することができるという極めて有益な効果を奏するものである。また本発明は、接液部分に濾過材が設けられていないので非常に衛生的であり、且つ浄水器が破損しない限りは部品交換の必要性もないという顕著な特長がある。さらに本発明品は、内部構造が単純で、製造に係る材料も安価に入手することができるので、廉価な製品を市場に提供することができるという特筆すべき利点があり、併せて故障が少なく長期間の使用も可能な耐久性を保有している。
【図面の簡単な説明】
【図１】本発明の実施の形態の一例を示す断面図である。
【図２】循環パイプを貯水容器の下方に配置した場合の一部省略断面図である。
【図３】（イ）および（ロ）は、循環パイプの概略形状を示す平面図である。
【符号の説明】
１  浄水器
１０  本体容器
２０  貯水容器
３０  循環パイプ
４０  介装部材
５０  給水パイプ
６０  排水パイプ
【図１】
2005007375.tif 000003
【図２】
2005007375.tif 000004
【図３】
2005007375.tif 000005